(57)【要約】  【課題】音声認識処理で誤認識された内容を簡易な発話により訂正することができる音声認識装置を提供する。  【解決手段】音声認識処理をした結果を訂正用の語彙３１〜３３とともに、ディスプレイに表示する。音声認識結果である「０４８２ＸＸ８８８８」を「０４８２ＸＸ２８８８」に訂正したい場合には、例えば、訂正用の語彙３１を用いて、「７番目を２」と発話することにより、訂正することができる。これにより、訂正位置を指定して誤認識された箇所を訂正することができるので、最初に発話した内容を全て発話し直す必要がなく、容易に訂正を行うことができる。  【選択図】図２
2005283797.tif 000002
【特許請求の範囲】
【請求項１】
音声を入力する音声入力手段と、
前記音声入力手段により入力された音声を認識する音声認識手段と、
前記音声認識手段による音声認識結果を出力する出力手段と、
前記出力手段により出力された音声認識結果を訂正する音声（以下、訂正音声と呼ぶ）が入力されたか否かを判定する訂正音声入力判定手段と、
前記訂正音声入力判定手段により訂正音声が入力されたと判定されると、前記訂正音声によって指定された訂正位置を少なくとも含む訂正内容を特定する訂正内容特定手段と、
前記訂正内容特定手段により特定された訂正内容に基づいて、特定された訂正位置の音声認識結果を訂正する訂正手段とを備えることを特徴とする音声認識装置。
【請求項２】
請求項１に記載の音声認識装置において、
前記音声認識結果の訂正位置は、前記音声認識結果を構成する文字等の並び順の順位で指定されることを特徴とする音声認識装置。
【請求項３】
請求項１または２に記載の音声認識装置において、
前記音声認識結果に内容を追加する訂正指示が前記訂正音声に含まれているか否かを判定する追加訂正指示判定手段をさらに備え、
前記訂正手段は、前記追加訂正指示判定手段により、内容を追加する訂正指示が含まれていると判定されると、前記訂正内容特定手段により特定された訂正内容を前記音声認識結果に追加する訂正を行うことを特徴とする音声認識装置。
【請求項４】
請求項１または２に記載の音声認識装置において、
前記音声認識結果を訂正するための音声入力例を少なくとも１つ表示する表示手段をさらに備えることを特徴とする音声認識装置。
【請求項５】
入力された音声に対して、音声認識処理を行い、
前記音声認識処理の結果を出力し、
出力された音声認識結果を訂正する音声（以下、訂正音声と呼ぶ）が入力されたか否かを判定し、
前記訂正音声が入力されたと判定されると、前記訂正音声によって指定された訂正位置を少なくとも含む訂正内容を特定し、
特定された訂正内容に基づいて、特定された訂正位置の音声認識結果を訂正することを特徴とする音声認識方法。
【発明の詳細な説明】
【技術分野】
【０００１】
本発明は、音声を認識して、文字等の情報に変換する音声認識装置および音声認識方法に関する。
【背景技術】
【０００２】
従来の音声認識装置において、入力された音声が誤って認識された場合に、誤認識された箇所を利用者が読み返すとともに、訂正語を発話することにより、訂正を行うことができる技術が知られている（特許文献１参照）。
【０００３】
【特許文献１】特開２０００−２９３１９５号公報
【発明の開示】
【発明が解決しようとする課題】
【０００４】
しかしながら、従来の音声認識装置では、例えば、「１７１７」と発話したものが「７７７７」と誤認識された場合に、「７７を１７」と訂正するための発話をしても、複数の「７７」が存在するために、この方法による訂正を行うことができず、「７７７７を１７１７」と訂正するように、全ての部分を発話し直さなければならなかった。
【課題を解決するための手段】
【０００５】
本発明による音声認識装置および音声認識方法は、音声認識結果を訂正する音声が入力されると、入力された訂正音声によって指定される訂正位置を少なくとも含む訂正内容を特定し、特定した訂正位置の音声認識結果を訂正することを特徴とする。
【発明の効果】
【０００６】
本発明による音声認識装置および音声認識方法によれば、音声認識結果のうち、誤認識された部分の位置を指定して訂正することができるので、容易に訂正を行うことができる。
【発明を実施するための最良の形態】
【０００７】
−第１の実施の形態−
図１は、本発明による音声認識装置の第１の実施の形態における構成を示す図である。以下では、第１の実施の形態における音声認識装置を、車両に搭載されて、発話によって電話番号を音声入力して、発呼することができる車載ハンズフリー電話システムに適用した例について説明する。第１の実施の形態における音声認識装置は、音声認識コントローラ１と、フォンコントローラ２と、マイク３と、音声入力操作スイッチ４と、スピーカ５と、ディスプレイ６と、携帯電話１０とを備える。
【０００８】
マイク３は、利用者が発話した音声を集音して、音声認識コントローラ１に出力する。音声入力操作スイッチ４は、例えば、車両のステアリングに設置されて、運転者が音声入力を行う際に操作される。音声認識コントローラ１は、ＣＰＵ１ａ、ＲＯＭ１ｂおよびＲＡＭ１ｃを備える。音声入力操作スイッチ４が操作されると、ＣＰＵ１ａは、ＲＯＭ１ｂから音声待ち受け状態を示すアイコンを読み出して、ディスプレイ６に表示させるとともに、発話開始の合図を示すビープ音をスピーカ５から出力させる。
【０００９】
利用者は、スピーカ５から出力されるビープ音を確認すると、マイク３に向かって、ハンズフリー電話のダイヤル入力を開始するためのコマンドである「ダイヤル入力」と発話する。このダイヤル入力を開始するコマンドである「ダイヤル入力」に対応する語彙は、予めＲＯＭ１ｂに登録しておく。
【００１０】
音声認識コントローラ１のＣＰＵ１ａは、マイク３を介して入力される音声と、ＲＯＭ１ｂに格納されている音声認識辞書の中の語彙とを比較して、入力された語彙を特定する。このような音声認識処理は、既知の方法を用いることができるため、音声認識処理についての詳細な説明は割愛する。
【００１１】
ＣＰＵ１ａにより、「ダイヤル入力」という音声が認識されると、認識結果である「ダイヤル入力」の文字をディスプレイ６に表示させるとともに、スピーカ５から、「ダイヤル入力を行います。番号をどうぞ」という音声を出力する。なお、ディスプレイ６に表示させる文字は、ＲＯＭ１ｂに予め登録しておき、ＣＰＵ１ａがＲＯＭ１ｂから読み出して、ディスプレイ６に表示させることができる。また、スピーカ５から出力する音声は、例えば、ＴＴＳ（Text-To-Speech）機能を利用することができる。この場合も、スピーカ５から出力するメッセージは、ＲＯＭ１ｂに格納しておけばよい。
【００１２】
「ダイヤル入力を行います。番号をどうぞ」という音声がスピーカ５から出力されると、利用者は、携帯電話１０から発信したい電話番号を発話する。ここでは、「０４８２ＸＸ２８８８」と発話したとする。利用者により発話された番号は、マイク３を介して、音声認識コントローラ１に入力される。電話番号の音声入力情報は、数字に限定されるため、音声認識コントローラ１のＣＰＵ１ａは、ＲＯＭ１ｂに格納されている数字認識辞書に基づいて、入力された数字を認識する。
【００１３】
ここで、数字の認識処理の結果が「０４８２ＸＸ８８８８」であったとする。ＣＰＵ１ａは、認識処理の結果である「０４８２ＸＸ８８８８」をディスプレイ６に表示するとともに、認識した数字の桁数をカウントし、電話番号の全桁が入力されていると判断すると、「０４８２ＸＸ８８８８でよろしいですか」等の認識結果を確認するメッセージをスピーカ５から音声にて出力する。
【００１４】
図２は、ディスプレイ６に表示される、認識した電話番号を確認するメッセージを示す図である。ディスプレイ６には、図２に示すように、認識された電話番号２０とともに、発話可能であることを示すアイコン２５、および、認識結果を確認するメッセージに対する応答例３０〜３３を表示している。利用者は、アイコン２５が表示されている間に発話することができる。
【００１５】
応答例３０は、音声認識された番号が正しい場合を示している。応答例３０、すなわち、「はい」と利用者が発話して、音声認識コントローラ１で正しく認識されると、認識された番号に発呼するように、ＣＰＵ１ａからフォンコントローラ２に対して、発呼指示が出される。フォンコントローラ２は、ＣＰＵ２ａ、ＲＯＭ２ｂおよびＲＡＭ２ｃを備えている。フォンコントローラ２のＣＰＵ２ａは、発呼指示を受けると、指示された番号に発信するように、携帯電話１０に指令を出す。これにより、ハンズフリーにて、電話をかけることができる。
【００１６】
応答例３１〜３３は、音声認識された番号が間違っている場合を示すものである。応答例３１は、間違っている箇所を番号で指定するとともに、正しい数字を入力する場合を示している。上述した例では、「０４８２ＸＸ２８８８」と発話したのに対して、「０４８２ＸＸ８８８８」と認識されたため、先頭から数えて７番目（７桁目）の数字が誤って認識されている。従って、「７番目を２」と発話することにより、７番目の数字を「２」に訂正することができる。
【００１７】
応答例３２は、間違っている箇所の番号、および、誤認識されている数字を指定するとともに、正しい数字を入力する場合を示している。上述した例では、「７番目の８を２」と発話することにより、７番目の数字である「８」を「２」に訂正することができる。応答例３３は、誤認識された数字を指定して正しい数字を入力する場合を示している。例えば、「８８８８を２８８８」と発話することにより、誤認識された箇所を訂正することができる。ただし、認識された数字の中に「８」の数字が複数あるため、「８を２」と発話して訂正することはできない。
【００１８】
なお、応答例３０〜３３に対応する語彙は、ＲＯＭ１ｂに予め登録しておく。ＣＰＵ１ａは、入力された音声と、ＲＯＭ１ｂに登録されている応答例３０〜３３に対応する語彙とを比較することにより、認識結果を肯定する応答例３０に対応する語彙が入力されたか、訂正用の応答例３１〜３３に対応する語彙が入力されたかを判定する。
【００１９】
図３は、第１の実施の形態における音声認識装置により行われる処理内容を示すフローチャートである。ステップＳ１０から始まる処理は、音声認識コントローラ１のＣＰＵ１ａにより行われる。ステップＳ１０では、音声入力操作スイッチが操作されたか否かを判定する。音声入力操作スイッチ４が押されたことを示す信号が入力されると、ステップＳ２０に進み、音声入力操作スイッチ４が押されていないと判定すると、ステップＳ１０で待機する。
【００２０】
ステップＳ２０では、ＲＯＭ１ｂから発話可能アイコン（音声待ち受けアイコン）を読み出して、ディスプレイ６に表示するとともに、スピーカ５からビープ音を出力する。ステップＳ２０に続くステップＳ３０では、利用者による音声入力が行われたか否かを判定する。マイク３を介して、音声入力が行われたと判定するとステップＳ４０に進み、音声入力が行われていないと判定すると、ステップＳ３０で待機する。
【００２１】
ステップＳ４０では、音声入力された言葉の音声認識処理を行って、ステップＳ５０に進む。ステップＳ５０では、ステップＳ４０における音声認識処理の結果、音声認識された言葉が「ダイヤル入力」であるか否かを判定する。音声認識された言葉が「ダイヤル入力」であると判定するとステップＳ６０に進み、「ダイヤル入力」以外の別の言葉であると判定すると、ステップＳ１０に戻る。
【００２２】
ステップＳ６０では、認識結果である「ダイヤル入力」の文字をディスプレイ６に表示させるとともに、スピーカ５から、「ダイヤル入力を行います。番号をどうぞ」という音声を出力する。ステップＳ６０に続くステップＳ７０では、マイク３を介して、音声入力が行われたか否かを判定する。音声入力が行われたと判定するとステップＳ８０に進み、音声入力が行われていないと判定すると、ステップＳ７０で待機する。
【００２３】
ステップＳ８０では、入力された音声に対して音声認識処理を実行して、ステップＳ９０に進む。ステップＳ９０では、ステップＳ８０において音声認識が行われた結果が正しいか否かを利用者に問う音声をスピーカ５から出力する。例えば、音声認識された電話番号が「０４８２ＸＸ８８８８」の場合には、「０４８２ＸＸ８８８８でよろしいですか」等の音声をスピーカ５から出力する。同時に、認識結果である電話番号、および、訂正用の言い回しの語彙をディスプレイ６に表示する（図２参照）。
【００２４】
ステップＳ１００では、ステップＳ９０で出力された音声認識の結果が正しいかを問う音声に対して、利用者の応答があったか否かを判定する。マイク３を介して、利用者の音声が入力されたと判定するとステップＳ１１０に進み、音声が入力されていないと判定すると、ステップＳ１００で待機する。ステップＳ１１０では、入力された音声に対して、音声認識処理を行い、ステップＳ１２０に進む。
【００２５】
ステップＳ１２０では、ステップＳ１１０における音声認識処理の結果、入力された語彙が訂正用の語彙であるか否かを判定する。この判定は、上述したように、ＲＯＭ１ｂに登録されている訂正用の応答例３１〜３３に対応する語彙が入力されたか否かに基づいて行う。「７番目を２」のような訂正語彙が入力されたと判定するとステップＳ１３０に進み、入力された語彙は、訂正用の語彙ではないと判定すると、ステップＳ１４０に進む。
【００２６】
ステップＳ１３０では、入力された訂正用の語彙に基づいて、ステップＳ８０で認識した電話番号の訂正処理を実行する。訂正処理を実行すると、ステップＳ９０に戻り、訂正した電話番号が正しいか否かを利用者に問う音声をスピーカ５を介して出力する。この場合にも、訂正した電話番号、および、訂正用の言い回しの語彙をディスプレイ６に表示する。
【００２７】
ステップＳ１４０では、入力された語彙が認識結果を肯定する応答例３０に対応する語彙であるか否かを判定する。認識結果を肯定する語彙、すなわち、「はい」の語彙が入力されたと判定すると、ステップＳ１５０に進む。一方、入力された語彙が認識結果を肯定する語彙ではないと判定すると、ステップＳ１００に戻る。
【００２８】
ステップＳ１５０では、認識結果を肯定する語彙が入力された時点において認識されている電話番号に発信するように、フォンコントローラ２に対して発信指令を出す。発信指令を受けたフォンコントローラ２のＣＰＵ２ａは、携帯電話１０に対して、指令を受けた電話番号に発信させる。
【００２９】
第１の実施の形態における音声認識装置によれば、利用者が入力した音声に対する音声認識結果が誤っている場合に、訂正する位置を指定して訂正することができるので、容易に訂正することができる。すなわち、音声認識結果を訂正するために、正確に認識された部分を含む全ての内容を再度、発話する必要がなくなるので、訂正時の利便性が高くなる。
【００３０】
従来の音声認識装置では、数字列の中に同じ数字が含まれている場合には、その数字だけを指定して訂正することができなかった。例えば、「８８８８」を「２８８８」に訂正するために、「８を２」と発話して訂正することができなかったが、第１の実施の形態における音声認識装置によれば、「１番目を２」または「１番目の８を２」と発話して、訂正することができる。
【００３１】
また、音声認識結果を訂正するための語彙（訂正するための音声入力例）をディスプレイ６に表示するので、利用者は、訂正するための語彙を記憶しておく必要が無く、表示されている語彙を用いて、容易に訂正を行うことができる。
【００３２】
−第２の実施の形態−
第１の実施の形態における音声認識装置では、利用者が音声入力したい電話番号を一度に発話する例について説明した。第２の実施の形態における音声認識装置では、利用者が電話番号を一度に発話せずに、数桁ずつ区切って発話する例について説明する。なお、第２の実施の形態における音声認識装置の構成は、図１に示す第１の実施の形態における音声認識装置の構成と同じである。
【００３３】
例えば、利用者が電話番号の最初の３桁の数字である「０４６」と発話したとする。音声認識コントローラ１のＣＰＵ１ａは、入力された音声に対して音声認識処理を行い、認識結果をディスプレイ６に表示するとともに、第１の実施の形態における音声認識装置と同様に、訂正用の語彙を表示する。この時、ＣＰＵ１ａは、音声認識した数字の桁数をカウントし、電話番号の全桁が入力されていないと判定すると、続きの数字の音声入力を促すメッセージを出力する。例えば、認識した数字が「０４６」であった場合には、「０４６の続きをどうぞ」というメッセージをスピーカ５から出力させる。
【００３４】
続いて、利用者が次の３桁の数字である「２７０」と発話したとする。音声認識コントローラ１のＣＰＵ１ａは、入力された音声に対して音声認識処理を行い、認識結果をディスプレイ６に表示するとともに、訂正用の語彙を表示する。
【００３５】
図４は、ディスプレイ６に表示される、これまでに認識した電話番号２０、発話可能アイコン２５、および、訂正応答例３１〜３３，４０を示す図である。訂正応答例３１〜３３は、図２に示す訂正応答例３１〜３３と同じである。ただし、電話番号の全ての桁の数字が入力されていないために、音声認識結果を肯定する応答例３０（図２参照）は表示されない。
【００３６】
訂正応答例４０は、音声入力した数字列に対して、音声認識処理の結果である数字列の桁数が少ない場合に、数字を追加入力するための語彙である。一般的に、ある数字列を音声入力する場合に、最初の数字の発話パワーは小さいので、音声認識処理によって認識されない場合がある。例えば、「２７０」と音声入力した場合でも、最初の数字の「２」が認識されずに、「７０」と誤認識されることがある。
【００３７】
このような場合、利用者は、応答例４０に示す語彙を用いて、「２を追加」と発話すれば、直前の音声認識処理の結果である「７０」の前に「２」を追加する訂正を行うことができる。なお、応答例３３に示す語彙を用いて、「７０」を「２７０」のように発話することにより、訂正を行うこともできる。
【００３８】
図５は、第２の実施の形態における音声認識装置により行われる処理内容を示すフローチャートであり、音声認識コントローラ１のＣＰＵ１ａにより行われる。第１の実施の形態における音声認識装置により行われる処理と同一の処理については、同一の符号を付して詳しい説明は省略する。
【００３９】
ステップＳ１０〜ステップＳ８０までの処理は、図３に示すフローチャートのステップＳ１０〜ステップＳ８０までの処理と同一であるので、詳しい説明は省略する。ステップＳ８０に続くステップＳ２００では、ステップＳ８０で行った音声認識処理の結果である番号をディスプレイ６に表示する。例えば、認識された番号が３桁なら、３桁の数字をディスプレイ６に表示する。この時、図４を用いて説明したように、訂正用の応答例３１〜３３，４０も同時に表示する。
【００４０】
ステップＳ２００に続くステップＳ２１０では、音声認識した数字列に基づいて、電話番号の全桁の数字が入力されたか否かを判定する。電話番号の全桁の数字が入力されたと判定するとステップＳ９０に進み、全桁の数字が入力されていないと判定すると、ステップＳ２２０に進む。ステップＳ２２０では、電話番号の続きの数字の音声入力を促す音声をスピーカ５から出力する。
【００４１】
ステップＳ２２０に続くステップＳ２３０では、電話番号の続きの数字の音声入力が行われたか否かを判定する。マイク３を介して、利用者の音声が入力されたと判定するとステップＳ２４０に進み、音声が入力されていないと判定すると、ステップＳ２３０で待機する。ステップＳ２４０では、入力された音声に対して、音声認識処理を行い、ステップＳ２５０に進む。
【００４２】
ステップＳ２５０では、ステップＳ２４０で行った音声認識処理の結果、ステップＳ２３０で音声入力された言葉が数字であるか否かを判定する。音声入力された言葉が数字であると判定すると、ステップＳ２００に戻り、音声認識処理の結果である番号をディスプレイ６に表示する。一方、音声入力された言葉が数字ではないと判定すると、ステップＳ１２０に進む。
【００４３】
ステップＳ１２０では、ステップＳ２３０で音声入力された言葉が訂正用の応答例３１〜３３，４０に対応する語彙であるか否かを判定する。音声入力された言葉が訂正用の応答例３１〜３３，４０に対応する語彙であると判定すると、ステップＳ１３０に進み、訂正用の応答例に対応する語彙ではないと判定すると、ステップＳ２３０に戻る。ステップＳ１３０では、入力された訂正用の語彙に基づいて、電話番号の訂正処理を実行する。訂正処理を実行すると、ステップＳ２００に戻り、訂正した電話番号をディスプレイ６に表示する。
【００４４】
電話番号の全桁の数字が入力されたと判定した後に進むステップＳ９０では、「０４６２７０ＸＸＸＸでよろしいですか？」のように、音声認識結果が正しいか否かを利用者に問う音声をスピーカ５から出力する。認識結果を確認する音声を出力すると、ステップＳ１００に進む。ステップＳ１００では、認識結果を確認する音声に対して、利用者の応答があったか否かを判定する。利用者の音声が入力されたと判定すると、ステップＳ１１０に進み、音声認識処理を行う。
【００４５】
ステップＳ１１０に続くステップＳ１４０では、認識結果を肯定する語彙が入力されたか否かを判定する。認識結果を肯定する語彙３０、すなわち、「はい」の語彙が入力されたと判定すると、ステップＳ１５０に進む。一方、入力された語彙が認識結果を肯定する語彙３０ではないと判定すると、ステップＳ１２０に進む。
【００４６】
ステップＳ１５０では、認識結果を肯定する語彙が入力された時の電話番号に発信するように、フォンコントローラ２に対して発信指令を出す。発信指令を受けたフォンコントローラ２のＣＰＵ２ａは、携帯電話１０に対して、指令を受けた電話番号に発信させる。
【００４７】
第２の実施の形態における音声認識装置によれば、第１の実施の形態における音声認識装置と同様に、誤認識された音声認識結果に対して、訂正する位置を指定して訂正することができるので、容易に訂正を行うことができる。また、音声認識結果を訂正するための語彙をディスプレイ６に表示するので、利用者は、訂正するための語彙を記憶しておく必要が無く、表示されている語彙を用いて、容易に訂正を行うことができる。
【００４８】
第２の実施の形態における音声認識装置によれば、数字を追加するための応答例４０を予め決めておき、この応答例４０に対応する語彙が入力された場合に、既に認識されている結果に対して、数字を追加する訂正を行うので、認識されなかった数字を容易に追加することができる。例えば、電話番号のように、桁数が多い数字を音声入力して、先頭の数字が認識されなかった場合に、全ての桁の数字を再度入力する必要がなくなるので、訂正を容易に行うことができる。上述したように、発話の最初の数字は、発話パワーが小さいため、最初の数字が認識されないケースが多発することが想定される。従って、発話の最初の数字を追加するための訂正応答例４０を予め決めておけば、効率的な訂正方法を実現することができる。
【００４９】
本発明は、上述した各実施の形態に限定されることはない。例えば、第１および第２の実施の形態における音声認識装置では、電話番号を音声にて入力する例について説明したが、入力する音声は数字に限られず、アルファベットでもよいし、カタカナ、ひらがな、漢字などの文字でもよい。この場合でも、例えば「かながわ」と発話した場合に、「あながわ」と誤認識されると、「１番目を『か』」のように、訂正する位置を指定して訂正することができる。
【００５０】
音声認識結果に対する訂正位置の指定方法は、「○番目を×」の語彙に限られず、「○桁目を×」でもよいし、「○文字目を×」のような語彙を用いても良い。また、訂正個所の指定方法は、先頭からの番号に限られず、最後の数字（文字）から数えた番号でもよい。例えば、「０４８２ＸＸ８８８８」を「０４８２ＸＸ２８８８」に訂正する方法として、「７番目を２」と訂正する方法について説明したが、「右から４番目を２」と発話して訂正できるようにしてもよい。
【００５１】
ディスプレイ６には、音声認識結果を訂正するための応答例３０〜３３を示したが（図２参照）、例えば、「２番目を１」のように、具体的な訂正例を示すようにしてもよい。例えば、「１」と「７」が間違って認識される傾向が高い場合に、「７」と認識された２番目の数字に関して、「２番目を１」のように具体的な訂正例を示すことにより、さらに容易に訂正を行うことができる。
【００５２】
電話番号の全ての桁の数字が入力されて、「０４８２ＸＸ８８８８でよろしいですか」等の認識結果を確認する音声がスピーカ５から出力された後に、利用者が「いいえ」等の認識結果を否定する音声を入力すると、「訂正をどうぞ」等の音声をスピーカ５から出力するようにしてもよい。
【００５３】
特許請求の範囲の構成要素と第１および第２の実施の形態の構成要素との対応関係は次の通りである。すなわち、マイク３が音声入力手段を、音声認識コントローラ１が音声認識手段、訂正音声入力判定手段、訂正内容特定手段、訂正手段および追加訂正音声判定手段を、スピーカ５およびディスプレイ６が出力手段を、ディスプレイ６が表示手段をそれぞれ構成する。なお、本発明の特徴的な機能を損なわない限り、各構成要素は上記構成に限定されるものではない。
【図面の簡単な説明】
【００５４】
【図１】本発明による音声認識装置の第１の実施の形態における構成を示す図
【図２】ディスプレイに表示される、認識した電話番号を確認するメッセージを示す図
【図３】第１の実施の形態における音声認識装置により行われる処理内容を示すフローチャート
【図４】ディスプレイに表示される、これまでに認識した電話番号と訂正語彙とを示す図
【図５】第２の実施の形態における音声認識装置により行われる処理内容を示すフローチャート
【符号の説明】
【００５５】
１…音声認識コントローラ
２…フォンコントローラ
３…マイク
４…音声入力操作スイッチ
５…スピーカ
６…ディスプレイ
１０…携帯電話
【図１】
2005283797.tif 000003
【図２】
2005283797.tif 000004
【図３】
2005283797.tif 000005
【図４】
2005283797.tif 000006
【図５】
2005283797.tif 000007